(57)【要約】【課題】簡単に、撮影対象の立体物の三次元画像を作成表示可能な立体デジタル・カメラを提案すること。【解決手段】立体デジタル・カメラ１は三次元画像作成部６を備えており、ここにおいて、画像メモリ５に保持されている異なるアングルから撮影した立体物の静止画像を合成することにより、当該立体物の三次元画像が作成される。作成された三次元画像は表示制御部８の制御の下に、液晶表示器７に表示可能である。【選択図】　　図１
2004015465.tif 000002
【特許請求の範囲】
【請求項１】
撮像素子と、
この撮像素子を介して取り込まれた映像信号を画像ファイルとして記憶する画像メモリと、
前記画像メモリに記憶保持されている異なるアングルから撮影された同一の立体物の画像データにデータ処理を施して、前記立体物の三次元画像を作成する三次元画像作成手段と、
作成された三次元画像を表示可能な画像表示手段とを有していることを特徴とする立体デジタル・カメラ。
【請求項２】
撮像素子と、
この撮像素子を介して取り込まれた映像信号を画像ファイルとして記憶する画像メモリと、
前記画像メモリに記憶保持されている同一の立体物の動画データにデータ処理を施して、前記立体物の三次元画像を作成する三次元画像作成手段と、
作成された三次元画像を表示可能な画像表示手段とを有していることを特徴とする立体デジタル・カメラ。
【請求項３】
撮像素子と、
この撮像素子を介して取り込まれた映像信号を画像ファイルとして記憶する画像メモリと、
前記画像メモリに記憶保持されている同一の立体物の異なるアングルから撮影された画像データおよび／または当該立体物の動画データに対して、データ処理を施して、前記立体物の立体視用画像を作成する立体視用画像作成手段と、
作成された立体視用画像を表示する立体像表示手段とを有していることを特徴とする立体デジタル・カメラ。
【発明の詳細な説明】
【０００１】
【発明の属する技術分野】
本発明は、デジタル・カメラ（デジタル・スチル・カメラ、デジタル・ビデオ・カメラ）に関し、さらに詳しくは、撮影した対象物を三次元画像あるいは立体視用画像として表示可能な立体デジタル・カメラに関するものである。
【０００２】
【従来の技術】
デジタル・カメラは、撮影した画像をデジタル信号として取り込み、電子的な画像ファイルとして記憶保持可能であると共に液晶表示器などにその静止画像を表示するものである。画像は撮像素子であるＣＣＤを介して電気信号として取り込まれ、これがＪＰＥＧ符号化方式によるデジタル信号処理によってデジタル化および圧縮化され、これにより生成した撮影画像の圧縮化データがフレキシブルディスクやメモリカードなどの記憶媒体に記憶保持される。また、デジタル・カメラにより撮影された静止画像は、パソコン等に取り込まれて、画像処理ソフトによって処理可能である。
【０００３】
ここで、デジタル・カメラで撮影された画像は二次元画像であり、これを立体化するためには、例えば、３次元コンピュータ・グラフィックス（３ＤＣＧ）ソフトがインストールされているパソコンに取り込み、立体化処理を施して３次元のＣＧ映像を作成する必要がある。
【０００４】
一方、三次元画像を表示するための装置としては、左右の眼に異なる映像を与えることにより立体感を感じさせる立体視を利用した立体視画像の表示装置も知られている。立体視画像を形成するための方式としては、見る側が立体視装置を装着する方式と、表示装置側を立体視可能な構成とする方式とが知られている。後者の立体像表示装置としては、ステレオ・ペア画像、パララックス方式、レンチキュラ方式などがあり、液晶パネルを用いた立体視テレビとして実用化されている。
【０００５】
【発明が解決しようとする課題】
従来においては、デジタル・カメラで撮影した対象物を三次元画像として表示するためには、パソコンに取り込み、コンピュータ加工により３次元ＣＧ画像を生成するか、あるいは、立体像表示装置に取り込み、画像処理を施して立体視画像を作成して、それ専用の立体視装置により表示する必要がある。
【０００６】
本発明の課題は、このような点に鑑みて、三次元画像を、簡単且つ、実際の撮影対象物を生成可能な立体デジタル・カメラを提案することにある。
【０００７】
また、本発明の課題は、立体視画像を、簡単且つ、実際の撮影対象物を生成可能な立体デジタル・カメラを提案することにある。
【０００８】
【課題を解決するための手段】
上記の課題を解決するために、本発明の立体デジタル・カメラは、
撮像素子と、
この撮像素子を介して取り込まれた映像信号を画像ファイルとして記憶する画像メモリと、
前記画像メモリに記憶保持されている複数の視点から撮影された同一の立体物の画像データにデータ処理を施して、前記立体物の三次元画像を作成する三次元画像作成手段と、
作成された三次元画像を表示可能な画像表示手段とを有していることを特徴としている。
【０００９】
本発明の立体デジタル・カメラでは、三次元画像作成手段によって、実際の撮影画像に基づき、撮影対象である立体物の三次元画像が作成されるので、実際の対象物の三次元画像を作成できる。
【００１０】
また、本発明の立体デジタル・カメラは、
撮像素子と、
この撮像素子を介して取り込まれた映像信号を画像ファイルとして記憶する画像メモリと、
前記画像メモリに記憶保持されている同一の立体物の動画データにデータ処理を施して、前記立体物の三次元画像を作成する三次元画像作成手段と、
作成された三次元画像を表示可能な画像表示手段とを有していることを特徴としている。
【００１１】
この場合においても、三次元画像作成手段により、実際に撮影された立体物の動画データに基づきその三次元画像が作成されるので、対象物の三次元画像を作成できる。
【００１２】
次に、本発明の立体デジタル・カメラは、
撮像素子と、
この撮像素子を介して取り込まれた映像信号を画像ファイルとして記憶する画像メモリと、
前記画像メモリに記憶保持されている同一の立体物の複数の視点から撮影された画像データおよび／または当該立体物の動画データに対して、データ処理を施して、前記立体物の立体視用画像を作成する立体視用画像作成手段と、
作成された立体視用画像を表示する立体像表示手段とを有していることを特徴としている。
【００１３】
異なるアングルからの立体物の実際の撮影画像および／または撮影された立体物の動画データに基づき立体視用画像が作成される。よって、立体像表示手段を介して、対象物の立体視画像を提示することができる。
【００１４】
このように、本発明によれば、異なるアングルからの実際の撮影画像に基づき、立体物の三次元画像を作成して表示することができる。また、異なるアングルからの撮影画像や動画データに基づき、立体物の立体視画像を作成して表示することができる。よって、従来の二次元の静止画像や動画のみを表示可能なデジタル・カメラとは異なり、三次元画像を表示可能な立体デジタル・カメラを実現できる。また、パソコンや立体像表示装置に撮影画像を取り込むことなく、簡単に、撮影対象物の三次元画像や立体視画像を表示することが可能になる。さらには、実際の撮影画像、動画データに基づき三次元画像や立体視画像を作成しているので、実際の撮影物の画像を再現できる。よって、本発明によれば、新しいコンセプトの立体デジタル・カメラを提供することができる。
【００１５】
【発明の実施の形態】
以下に、図面を参照して、本発明を適用した三次元画像表示用の立体デジタル・カメラの実施の形態を説明する。
【００１６】
図１は本例の立体デジタル・カメラの全体構成を示す概略ブロック図である。本例の立体デジタル・カメラ１は、対物レンズ２と、この対物レンズ２を介して撮影画像を取り込む撮像素子としてのＣＣＤ３と、ＣＣＤ３を介して取り込まれた撮影画像の電気信号に処理を施して圧縮デジタル画像を生成する画像処理部４と、画像処理部４によって得られた圧縮デジタル画像を記憶保持する画像メモリ５を備えている。また、画像メモリ５に記憶保持されている複数のアングルから撮影された同一の立体物の画像データにデータ処理を施して、当該立体物の三次元画像を作成する三次元画像作成部６を備えている。この三次元画像作成部６で作成された三次元画像も画像メモリ５に記憶保持可能となっている。さらに、画像メモリ５に保持されている画像データを表示するための液晶表示器７を備えており、表示制御部８によって当該液晶表示器７による表示が制御される。
【００１７】
三次元画像作成部６では、異なるアングルから撮影された同一の立体物の撮影画像データに含まれている同一部分の画素データに基づき、撮影画像データを合成して、立体物の三次元画像を作成する。
【００１８】
ここで、上記の画像処理部４が動画データを取り込み可能な場合には、例えば、回転体などの動画データを取得して画像メモリ５に保持し、動画データに基づき回転体の三次元画像が作成されるように、三次元画像作成部６を構成すればよい。
【００１９】
一方、本例の立体デジタル・カメラ１により立体視画像を作成する場合には、上記の三次元画像作成部６の代わりに、立体視画像作成部を組み込むと共に、上記の液晶表示器７の代わりに立体像表示装置を組み込み、当該立体像表示装置を表示制御部８によって駆動制御することにより、立体視画像を表示すればよい。このようにすれば、遠近感のある立体視画像を形成することができる。
【００２０】
勿論、三次元画像作成部および立体視画像作成部の双方を組み込むと共に、一般的な液晶表示器としても動作可能な立体像表示装置を組み込むことにより、撮影した立体物の三次元画像とその立体視画像の双方を切り替え表示可能な立体デジタル・カメラを実現可能である。
【００２１】
【発明の効果】
以上説明したように、本発明の立体デジタル・カメラは、異なるアングルからの撮影画像や動画に基づき、撮影対象の立体物の三次元画像、および／または立体視画像を作成可能な三次元画像作成部および／または立体視画像作成部を備えている。
【００２２】
従って、本発明によれば、従来の二次元の静止画像や動画のみを表示可能なデジタル・カメラとは異なり、三次元画像を表示可能な立体デジタル・カメラを実現できる。また、パソコンや立体像表示装置に撮影画像を取り込むことなく、簡単に、撮影対象物の三次元画像や立体視画像を表示することが可能になる。さらには、実際の撮影画像、動画データに基づき三次元画像や立体視画像を作成しているので、実際の撮影物の画像を再現できる。
【図面の簡単な説明】
【図１】本発明を適用した立体デジタル・カメラの構成を示す概略ブロック図である。
【符号の説明】
１　　立体デジタル・カメラ
２　　対物レンズ
３　　ＣＣＤ
４　　画像処理部
５　　画像メモリ
６　　三次元画像作成部
７　　液晶表示器
８　　表示制御部
【図１】
2004015465.tif 000003